(57)【要約】      （修正有）【課題】ボールが途中で引掛かることなくスムーズに通過すると共に組立てが簡単な円筒型迷路を提供する。【解決手段】入口から出口までボール２が通過するように広い溝が設けられたボール経路を形成する外壁部を備えた複数の円筒体１０と、各円筒体を貫通して整列させるとともに、各円筒体を回転可能に支持する軸部材とを備えた円筒型迷路１であって、各円筒体は、円筒体の外壁部を覆ってボール経路からボールが離脱することを防止するための透明カバー７０を備えている。【選択図】図１
0003194988.tif 000002
【実用新案登録請求の範囲】
【請求項１】
入口から出口までボールが通過するように設けられたボール経路を形成する外壁部を備えた複数の円筒体と、
上記各円筒体を貫通して当該各円筒体を整列させるとともに、上記各円筒体を回転可能に支持する軸部材とを備えた円筒型迷路であって、
上記各円筒体は、当該円筒体の上記外壁部を覆って上記ボール経路から上記ボールが離脱することを防止するための透明カバーを備えていることを特徴とする円筒型迷路。
【請求項２】
上記軸部材の一端部に、当該軸部材を上記円筒体内に導入し、上記円筒体を貫通して上記円筒体を整列させたときに、当該軸部材が上記円筒体から脱離しないようにするための導入保持部が設けられていることを特徴とする請求項１に記載の円筒型迷路。
【請求項３】
上記導入保持部は、
上記円筒体内に軸部材を導入する方向に向かって直径が小さくなっている円錐台形フランジを備え、
上記円錐台形フランジは、上記軸部材の上記円筒体への導入を促進するための軸空洞部と、上記軸部材が上記円筒体から脱離することを防止するための保持壁とを備えていることを特徴とする請求項２に記載の円筒型迷路。
【請求項４】
上記円筒体の内部に取り付けられた、上記軸部材が貫挿される軸アダプタを備えており、上記軸アダプタは上記軸部材に対して回転可能であることを特徴とする請求項１から３のいずれか１項に記載の円筒型迷路。
【請求項５】
上記軸アダプタは、
上記軸部材が貫挿される貫通孔を有する内管部と、
上記円筒体の内壁部に形成された係合溝部に係合する係合端部を有する複数の径方向脚部と、
上記各径方向脚部に接続された中間環状部材とを備えていることを特徴とする請求項４に記載の円筒型迷路。
【請求項６】
上記軸部材が差し込まれ、上記円筒体に軸方向への締付力を付与する閉止リングを備えていることを特徴とする請求項１から５のいずれか１項に記載の円筒型迷路。
【請求項７】
上記閉止リングは、
当該閉止リングの内側を向いた頂部と周方向の端部とを有する２つのＶ字型の周方向切欠部と、
当該閉止リングの前面における上記周方向切欠部が大きく開口している部分に対応する位置に設けられた突起部とを備えていることを特徴とする請求項６に記載の円筒型迷路。
【請求項８】
上記軸部材の端部に、上記閉止リングとともに上記円筒体に軸方向へ締付力を付与するように機能する補助締付部が設けられていることを特徴とする請求項６または７に記載の円筒型迷路。
【請求項９】
上記補助締付部は、上記円筒体に対する上記閉止リングの位置を調整するヘッド部を備えていることを特徴とする請求項８に記載の円筒型迷路。
【請求項１０】
上記透明カバーを、当該透明カバーが上記円筒体に対して相対的に回転しないように上記円筒体に対して接続する接続部を備えていることを特徴とする請求項１から９のいずれか１項に記載の円筒型迷路。
【請求項１１】
上記接続部は、上記円筒体の溝部内に収容されるように上記透明カバーに形成された凸部を備えており、
上記溝部は、上記円筒体における上記外壁部と前壁との間に配置されていることを特徴とする請求項１０に記載の円筒型迷路。
【請求項１２】
上記円筒体内に嵌め込まれる接続部材を有する頂部を備えていることを特徴とする請求項１から１１のいずれか１項に記載の円筒型迷路。
【請求項１３】
上記頂部は上記ボールを収容する空洞部を有する透明閉止カバーを備えており、
上記空洞部を介して上記ボールが上記円筒体のボール経路に出入りできるようになっていることを特徴とする請求項１２に記載の円筒型迷路。
【請求項１４】
上記接続部材は、上記透明閉止カバーに対して垂直な複数のタブを備えており、
上記各タブの端部に、上記頂部の上記円筒体に対する挿入方向に沿って直径が減少する円錐台形フランジが形成されており、
上記円錐台形フランジは、上記頂部が上記円筒体から脱離することを防止するための固定壁を備えていることを特徴とする請求項１３に記載の円筒型迷路。
【請求項１５】
上記固定壁は、上記軸アダプタにおける上記中間環状部材に嵌め込まれていることを特徴とする請求項１４に記載の円筒型迷路。
【考案の詳細な説明】
【技術分野】
【０００１】
本考案は、技能ゲームの技術分野に関するものである。より具体的には、ボール経路の入口から出口にボールを運ぶように設計された円筒型迷路に関するものである。
【背景技術】
【０００２】
従来、ユーザが迷路の入口から出口へボール経路を介してボールを運ぶ迷路タイプのゲームが知られている。
【０００３】
最も一般的なものとしては、矩形形状あるいは円形形状などの種々の形状を有する２次元迷路（２Ｄ迷路）が挙げられる。これらの迷路は、ユーザが変形することのできない固定されたボール経路を有している。このため、ユーザは、ゲームを数回解決すればゲームを解決するために必要な知識が得られるので、機械的かつ反復的に解決できるようになり、ゲームに対する興味が薄れてしまうという問題がある。
【考案の概要】
【考案が解決しようとする課題】
【０００４】
３次元迷路（３Ｄ迷路）はほとんど存在しない。３次元迷路では、ユーザがプレイする毎に異なるチャレンジに直面するように、ユーザがボール経路を動的に変形可能になっている。３次元迷路は、主に円筒型を有しており、一般に、複数の円筒体と軸部材とを備え、軸部材は各円筒体を貫通して各円筒体を整列させるように形成されており、各円筒体は軸部材に対して回転可能になっている。各円筒体は、ボール経路の入口から出口までボールが通るボール経路の外壁部を備えている。また、各円筒体を個々に回転させることにより、ユーザはゲーム中に開始点から終了点までボールが通るルートを変形可能になっている。
【０００５】
しかしながら、既存の円筒型迷路は、正確な操作が困難であり、ゲームが面白くなくなってしまう場合があるという重大な問題を有している。すなわち、各円筒体のボール経路を構成する外壁部には、ボールがボール経路から離脱するのを防止するようにボールを部分的に囲む溝が掘り込まれている。これらの溝によってゲーム中にユーザがボールを正確に見ることが困難になっており、そのためにボールがあちこち（特に、平角を成す部分、汚れが溜まった部分、複雑な形状の部分など）で頻繁に引掛かってしまう。
【０００６】
本考案にかかる円筒型迷路では、各円筒体に透明カバーを設け、ボールがボール経路から離脱することなくよりスムーズに通過できる広い溝を形成することにより、上記の問題を解決する。さらに、本考案にかかる迷路は、ユーザによる組立および使用を容易にする改善された構造配置を提供する。
【課題を解決するための手段】
【０００７】
本考案にかかる円筒型迷路は、入口から出口までボールが通過するように設けられたボール経路を形成する外壁部を備えた複数の円筒体と、上記各円筒体を貫通して当該各円筒体を整列させるとともに、上記各円筒体を回転可能に支持する軸部材とを備えた円筒型迷路であって、上記各円筒体は、当該円筒体の上記外壁部を覆って上記ボール経路から上記ボールが離脱することを防止するための透明カバーを備えていることを特徴としている。
【０００８】
これにより、ボール経路の溝の幅をボールがスムーズに移動するために必要な十分な幅にすることができる。したがって、ボールが離脱することを防ぐためにボールを囲い込む必要がなく、ボールを囲い込むことによってボールの可動性が低下することを防止できる。
【０００９】
なお、上記透明カバーは、当該透明カバーを介してボールを視認できる材質であればどのような材質であってもよく、完全に透明な材質であっても半透明な材質であってもよい。
【００１０】
また、上記の目的を達成できる材質としては、プラスチックが好ましく、着色されていても非着色であってもよく、迷路の美的外観を改善するための装飾物や接着物によって部分的に覆われていてもよい。
【００１１】
また、上記軸部材の一端部に、当該軸部材を上記円筒体内に導入し、上記円筒体を貫通して上記円筒体を整列させたときに、当該軸部材が上記円筒体から脱離しないようにするための導入保持部が設けられていてもよい。
【００１２】
また、上記導入保持部は、上記円筒体内に軸部材を導入する方向に向かって直径が小さくなっている円錐台形フランジを備え、上記円錐台形フランジは、上記軸部材の上記円筒体への導入を促進するための軸空洞部と、上記軸部材が上記円筒体から脱離することを防止するための保持壁とを備えている構成であってもよい。
【００１３】
また、上記円筒体は、上記軸部材に直接取り付けられていてもよく、間接的に取り付けられていてもよい。
【００１４】
間接的に取り付ける場合、例えば、上記円筒体の内部に取り付けられた、上記軸部材が貫挿される軸アダプタを備え、上記軸アダプタが上記軸部材に対して回転可能である構成としてもよい。
【００１５】
また、上記軸アダプタは、上記軸部材が貫挿される貫通孔を有する内管部と、上記円筒体の内壁部に形成された係合溝部に係合する係合端部を有する複数の径方向脚部と、上記各径方向脚部に接続された中間環状部材とを備えている構成であってもよい。
【００１６】
隣接する円筒体間に緩みが生じてゲームの適切な進展が妨げられることを防止するために、上記円筒型迷路は、上記軸部材が差し込まれ、上記円筒体に軸方向の締付力を付与する閉止リングを備えていてもよい。
【００１７】
また、上記閉止リングは、当該閉止リングの内側を向いた頂部と周方向の端部とを有する２つのＶ字型の周方向切欠部と、当該閉止リングの前面における上記周方向切欠部が大きく開口している部分に対応する位置に設けられた突起部とを備えていてもよい。
【００１８】
また、上記軸部材の端部に、上記閉止リングとともに上記円筒体に軸方向へ締付力を付与するように機能する補助締付部が設けられていてもよい。また、上記補助締付部は、上記円筒体に対する上記閉止リングの位置を調整するヘッド部を備えていてもよい。
【００１９】
また、上記透明カバーの装着を容易にするために、上記円筒型迷路は、上記円筒体と上記透明カバーとの間に、上記透明カバーが上記円筒体に対して相対的に回転しないように上記透明カバーを上記円筒体に対して接続する接続部を備えている構成としてもよい。 
また、上記接続部は、上記円筒体の溝部内に収容されるように上記透明カバーに形成された凸部を備えており、上記溝部は、上記円筒体における上記外壁部と前壁との間に配置されている構成であってもよい。
【００２０】
また、上記円筒型迷路は、上記円筒体内に嵌め込まれる接続部材を有する頂部を備えている構成であってもよい。なお、２つの上記頂部を上記円筒型迷路の両端にそれぞれ配置してそれぞれをゲームの開始点あるいは終了点として用いることができるようにし、双方向にプレイ可能な迷路としてもよい。
【００２１】
また、上記頂部は上記ボールを収容する空洞部を有する透明閉止カバーを備えており、上記空洞部を介して上記ボールが上記円筒体のボール経路に出入りできる構成であってもよい。上記接続部材は、上記透明閉止カバーに対して垂直な複数のタブを備えており、上記各タブの端部に、上記頂部の上記円筒体に対する挿入方向に沿って直径が減少する円錐台形フランジが形成されており、上記円錐台形フランジは、上記頂部が上記円筒体から脱離することを防止するための固定壁を備えている構成であってもよい。また、上記固定壁は、上記軸アダプタにおける上記中間環状部材に嵌め込まれている構成であってもよい。
【考案の効果】
【００２２】
本考案にかかる円筒型迷路によれば、ボールが離脱することを防ぐためにボールを囲い込む必要がなく、ボールを囲い込むことによってボールの可動性が低下することを防止できる。
【図面の簡単な説明】
【００２３】
【図１】本考案の一実施例にかかる迷路の斜視図である。
【図２】図１に示した迷路の分解組立図である。
【図３】図１に示した迷路に備えられる円筒体の斜視図である。
【図４Ａ】図１に示した迷路に備えられる軸部材の斜視図である。
【図４Ｂ】図４Ａに示した軸部材の側面図である。
【図５Ａ】図１に示した迷路に備えられる軸アダプタの斜視図である。
【図５Ｂ】図５Ａに示した軸アダプタの正面図である。
【図６Ａ】図３に示した円筒体に図５Ａおよび図５Ｂに示した軸アダプタを装着した状態を示す上記円筒体の斜視図である。
【図６Ｂ】図３に示した円筒体に図５Ａおよび図５Ｂに示した軸アダプタを装着した状態を示す上記円筒体の正面図である。
【図７Ａ】図１に示した迷路に備えられる閉止リングの斜視図である。
【図７Ｂ】図７Ａに示した閉止リングの正面図である。
【図７Ｃ】図７Ａに示した閉止リングの側面図である。
【図８Ａ】図１に示した迷路に備えられるカバーの斜視図である。
【図８Ｂ】図８Ａに示したカバーの正面図である。
【図９Ａ】図１に示した迷路に備えられる頂部の内側の斜視図である。
【図９Ｂ】図９Ａに示した頂部の内側の正面図である。
【図９Ｃ】図９Ａに示した頂部の外側の正面図である。
【図９Ｄ】図９Ａに示した頂部の側面図である。
【図１０】図１に示した迷路の長手方向の断面図である。
【考案を実施するための形態】
【００２４】
〔考案の詳細な説明〕
本考案の実施例について、図面を参照しながら説明する。なお、本明細書に添付した各図面は、本考案の実施例を明示し、本考案の理解を促進させるためのものであり、本考案を制限するものではない。
【００２５】
図１は本実施例にかかる迷路（円筒型迷路）１の斜視図であり、図２は迷路１の分解組立図である。これら各図に示すように、迷路１は、複数（本実施例では４個）の円筒体１０と、各円筒体１０を貫通して整列させる軸部材２０とを備えており、各円筒体１０は軸部材２０によって当該軸部材２０に対して回転可能に支持されている。各円筒体１０は、図３に示すように、入口１３から出口１４までボール２が通過するように形成されたボール経路１２の外壁部１１を形成している。
【００２６】
各円筒体１０は、ボール経路１２からボールがこぼれ落ちるのを防止するとともに、ゲームを正確にプレイできるようにユーザがボール２を視認できるようにするための、当該円筒体１０の外壁部１１を覆うように形成された透明カバー７０を備えている。
【００２７】
図３は、円筒体１０の構成をより詳細に示した斜視図である。ボール経路１２は、ゲームをより魅力的にし、かつ難易度を調整可能にするように、直線および／または曲線からなる様々なルートを採用できる。また、入口１３および出口１４の数も所望する難易度に基づいて決定することができる。入口１３を出口として機能させてユーザがボール２を開始点に戻すことにより、両方向のプレイが可能なゲームにしてもよい。異なる円筒体１０により異なるボール経路１２を形成できる。さらに、軸部材２０に対する各円筒体１０の位置は変更可能になっており、かつ各円筒体１０は軸部材２０に対して１８０°回転可能になっている。これにより、多数の異なるルートを設定できるので、ゲームに対する興味を増大させることができる。
【００２８】
図４Ａは軸部材２０の斜視図であり、図４Ｂは軸部材２０の側面図である。軸部材２０の一端部２１には、当該軸部材２０を円筒体１０内に導入し、円筒体１０を貫通して円筒体１０を整列させたときに当該軸部材２０が円筒体１０から脱離しないようにするための導入保持部２２が設けられている。導入保持部２２は、円筒体１０内に軸部材２０を導入する方向に向かって直径が小さくなっていく円錐台形フランジ２２１を備えている。また、円錐台形フランジ２２１は、軸部材２０の円筒体１０への導入を促進するための軸空洞部２２２と、軸部材２０が円筒体１０から脱離することを防止するための保持壁２２３とを備えている。
【００２９】
図５Ａは軸アダプタ３０の斜視図であり、図５Ｂは軸アダプタ３０の正面図である。また、図６Ａは軸アダプタ３０が装着された円筒体１０の斜視図であり、図６Ｂは軸アダプタ３０が装着された円筒体１０の正面図である。これら各図に示すように、軸アダプタ３０は円筒体１０の内部に取り付けられ、この軸アダプタ３０を軸部材２０が貫通し、軸アダプタ３０が軸部材２０に対して回転できるようになっている。軸アダプタ３０は、軸部材２０が貫挿される貫通孔３２を有する内管部３１と、円筒体１０の内壁部１６に形成された係合溝部１５に係合する係合端部３４を有する複数の径方向脚部３３と、各径方向脚部３３に接続された中間環状部材３５とを備えている。
【００３０】
図７Ａは閉止リング４０の斜視図であり、図７Ｂは閉止リング４０の正面図であり、図７Ｃは閉止リング４０の側面図である。閉止リング４０には軸部材２０が差し込まれ、図１０に示すように、円筒体１０に軸方向への締付力（ＦＺ）を付与する。閉止リング４０は、閉止リング４０の内側を向いた頂部４２と周方向の端部４３とを有する２つのＶ字型の周方向切欠部４１と、閉止リング４０の前面４５（軸部材２０の挿入方向側の面）における周方向切欠部４１が大きく開口している部分に対応する位置に設けられた突起部４４とを備えている。
【００３１】
軸部材２０の他端部２３には、図４Ａおよび図１０に示すように、閉止リング４０とともに円筒体１０に軸方向へ締付力（ＦＺ）を付与するように機能する補助締付部２４が設けられている。補助締付部２４は、円筒体１０に対する閉止リング４０の位置を調整するヘッド部（頭部）２４１を備えている。
【００３２】
図８Ａは透明カバー７０の斜視図であり、図８Ｂは透明カバー７０の正面図である。迷路１は、円筒体１０と透明カバー７０とを接続するための接続部５０を備えている。接続部５０は、透明カバー７０を、当該透明カバー７０が円筒体１０に対して相対的に回転しないように円筒体１０に接続する。接続部５０は、透明カバー７０に形成された凸部５１を備えており、この凸部５１は円筒体１０の溝部５２内に収容される。溝部５２は、図３に示すように、円筒体１０における外壁部１１（円筒体１０の外周面）と前壁部１７（円筒体１０の底面。軸部材２０の挿入方向側の面。）との間に配置されている。
【００３３】
透明カバー７０を装着することにより、従来技術のようにボールが離脱することを防ぐためにボールを囲い込む必要がなく、ボールの可動性を向上させることができる。
【００３４】
図９Ａ〜図９Ｄは、頂部６０の斜視図、正面図（頂部６０の内側の正面図）、背面図（頂部６０の外側の正面図）、および側面図である。これら各図に示すように、頂部６０は、円筒体１０内に嵌め込まれる接続部材６５を備えている。頂部６０はボール２を収容する空洞部６２を有する透明閉止カバー６１を備えており、この空洞部６２を介してボール２が円筒体１０のボール経路１２に出入りできるようになっている。接続部材６５は、透明閉止カバー６１に対して垂直な複数のタブ６６を備えている。各タブ６６の端部に、頂部６０の円筒体１０に対する挿入方向に沿って直径が減少する円錐台形フランジ６７が形成されている。また、円錐台形フランジ７６は、頂部６０が円筒体１０から脱離することを防止するための固定壁６８を備えている。固定壁６８は、図１０に示すように、軸アダプタ３０の中間環状部材３５に嵌め込まれる。
【００３５】
図１０は、各部材を組み立てた状態の迷路１の構成をより詳細に示した長手方向の断面図である。
【符号の説明】
【００３６】
１  迷路（円筒型迷路）
２  ボール
１０  円筒体
１１  外壁部
１２  ボール経路
１３  入口
１４  出口
１５  係合溝部
１６  内壁部
１７  前壁部
２０  軸部材
２１  一端部
２２  導入保持部
２３  他端部
２４  補助締付部
３０  軸アダプタ
３１  内管部
３２  貫通孔
３３  径方向脚部
３４  係合端部
３５  中間環状部材
４０  閉止リング
４１  周方向切欠部
４２  頂部
４３  端部
４４  突起部
４５  前面
５０  接続部
５１  凸部
５２  溝部
６０  頂部
６１  透明閉止カバー
６２  空洞部
６５  接続部材
６６  タブ
６７  円錐台形フランジ
６８  固定壁
７０  透明カバー
７６  円錐台形フランジ
２２１  円錐台形フランジ
２２２  軸空洞部
２２３  保持壁
２４１  ヘッド部
【図１】
0003194988.tif 000003
【図２】
0003194988.tif 000004
【図３】
0003194988.tif 000005
【図４Ａ】
0003194988.tif 000006
【図４Ｂ】
0003194988.tif 000007
【図５Ａ】
0003194988.tif 000008
【図５Ｂ】
0003194988.tif 000009
【図６Ａ】
0003194988.tif 000010
【図６Ｂ】
0003194988.tif 000011
【図７Ａ】
0003194988.tif 000012
【図７Ｂ】
0003194988.tif 000013
【図７Ｃ】
0003194988.tif 000014
【図８Ａ】
0003194988.tif 000015
【図８Ｂ】
0003194988.tif 000016
【図９Ａ】
0003194988.tif 000017
【図９Ｂ】
0003194988.tif 000018
【図９Ｃ】
0003194988.tif 000019
【図９Ｄ】
0003194988.tif 000020
【図１０】
0003194988.tif 000021
【手続補正書】
【提出日】平成26年10月16日(2014.10.16)
【手続補正１】
【補正対象書類名】実用新案登録請求の範囲
【補正対象項目名】全文
【補正方法】変更
【補正の内容】
【実用新案登録請求の範囲】
【請求項１】
入口から出口までボールが通過するように設けられたボール経路を形成する外壁部を備えた複数の円筒体と、
上記各円筒体を貫通して当該各円筒体を整列させるとともに、上記各円筒体を回転可能に支持する軸部材とを備えた円筒型迷路であって、
上記各円筒体は、当該円筒体の上記外壁部を覆って上記ボール経路から上記ボールが離脱することを防止するための透明カバーを備えていることを特徴とする円筒型迷路。
【請求項２】
上記軸部材の一端部に、当該軸部材を上記円筒体内に導入し、上記円筒体を貫通して上記円筒体を整列させたときに、当該軸部材が上記円筒体から脱離しないようにするための導入保持部が設けられていることを特徴とする請求項１に記載の円筒型迷路。
【請求項３】
上記導入保持部は、
上記円筒体内に軸部材を導入する方向に向かって直径が小さくなっている円錐台形フランジを備え、
上記円錐台形フランジは、上記軸部材の上記円筒体への導入を促進するための軸空洞部と、上記軸部材が上記円筒体から脱離することを防止するための保持壁とを備えていることを特徴とする請求項２に記載の円筒型迷路。
【請求項４】
上記円筒体の内部に取り付けられた、上記軸部材が貫挿される軸アダプタを備えており、上記軸アダプタは上記軸部材に対して回転可能であることを特徴とする請求項１から３のいずれか１項に記載の円筒型迷路。
【請求項５】
上記軸アダプタは、
上記軸部材が貫挿される貫通孔を有する内管部と、
上記円筒体の内壁部に形成された係合溝部に係合する係合端部を有する複数の径方向脚部と、
上記各径方向脚部に接続された中間環状部材とを備えていることを特徴とする請求項４に記載の円筒型迷路。
【請求項６】
上記軸部材が差し込まれ、上記円筒体に軸方向への締付力を付与する閉止リングを備えていることを特徴とする請求項１から５のいずれか１項に記載の円筒型迷路。
【請求項７】
上記閉止リングは、
当該閉止リングの内側を向いた頂部と周方向の端部とを有する２つのＶ字型の周方向切欠部と、
当該閉止リングの前面における上記周方向切欠部が大きく開口している部分に対応する位置に設けられた突起部とを備えていることを特徴とする請求項６に記載の円筒型迷路。
【請求項８】
上記軸部材の端部に、上記閉止リングとともに上記円筒体に軸方向へ締付力を付与するように機能する補助締付部が設けられていることを特徴とする請求項６または７に記載の円筒型迷路。
【請求項９】
上記補助締付部は、上記円筒体に対する上記閉止リングの位置を調整するヘッド部を備えていることを特徴とする請求項８に記載の円筒型迷路。
【請求項１０】
上記透明カバーを、当該透明カバーが上記円筒体に対して相対的に回転しないように上記円筒体に対して接続する接続部を備えていることを特徴とする請求項１から９のいずれか１項に記載の円筒型迷路。
【請求項１１】
上記接続部は、上記円筒体の溝部内に収容されるように上記透明カバーに形成された凸部を備えており、
上記溝部は、上記円筒体における上記外壁部と前壁との間に配置されていることを特徴とする請求項１０に記載の円筒型迷路。
【請求項１２】
上記円筒体内に嵌め込まれる接続部材を有する頂部を備えていることを特徴とする請求項１から１１のいずれか１項に記載の円筒型迷路。
【請求項１３】
上記頂部は上記ボールを収容する空洞部を有する透明閉止カバーを備えており、
上記空洞部を介して上記ボールが上記円筒体のボール経路に出入りできるようになっていることを特徴とする請求項１２に記載の円筒型迷路。
【請求項１４】
上記接続部材は、上記透明閉止カバーに対して垂直な複数のタブを備えており、
上記各タブの端部に、上記頂部の上記円筒体に対する挿入方向に沿って直径が減少する円錐台形フランジが形成されており、
上記円錐台形フランジは、上記頂部が上記円筒体から脱離することを防止するための固定壁を備えていることを特徴とする請求項１３に記載の円筒型迷路。
【請求項１５】
上記円筒体の内部に取り付けられた、上記軸部材が貫挿される軸アダプタを備えており、上記軸アダプタは上記軸部材に対して回転可能であり、
上記軸アダプタは、
上記軸部材が貫挿される貫通孔を有する内管部と、
上記円筒体の内壁部に形成された係合溝部に係合する係合端部を有する複数の径方向脚部と、
上記各径方向脚部に接続された中間環状部材とを備えており、
上記円筒体内に嵌め込まれる接続部材を有する頂部を備えており、
上記頂部は上記ボールを収容する空洞部を有する透明閉止カバーを備えており、
上記空洞部を介して上記ボールが上記円筒体のボール経路に出入りできるようになっており、
上記接続部材は、上記透明閉止カバーに対して垂直な複数のタブを備えており、
上記各タブの端部に、上記頂部の上記円筒体に対する挿入方向に沿って直径が減少する円錐台形フランジが形成されており、
上記円錐台形フランジは、上記頂部が上記円筒体から脱離することを防止するための固定壁を備えており、
上記固定壁は、上記軸アダプタにおける上記中間環状部材に嵌め込まれていることを特徴とする請求項１から３のいずれか１項に記載の円筒型迷路。